(57)【特許請求の範囲】
【請求項１】
路面に埋設され、路面からの雨水等を排水する排水路を形成する埋設構造物であって、
内部に集水空間を備える本体部と、当該本体部を設置する設置面を設けた土台部とを備え、
前記本体部の底壁は、円弧状をしており、前記設置面は、前記底壁と対応した形状をしているため、前記本体部が当該設置面上で傾斜可能となっており、
前記本体部の底壁に、固定部材が貫通可能な長尺状の貫通孔を設け、
前記設置面には、前記固定部材の先端を固定可能な固定穴を設けたことを特徴とする埋設構造物。
【請求項２】
前記本体部の底壁表面には、本体部側くぼみ部が設けられ、
前記土台部の設置面には、前記本体部側くぼみ部に相対する位置に、土台部側くぼみ部が設けられていることを特徴とする請求項１に記載の埋設構造物。
【請求項３】
前記本体部側くぼみ部、及び土台部側くぼみ部の底面に、凹凸を設けたことを特徴とする請求項２に記載の埋設構造物。
【発明の詳細な説明】
【技術分野】
【０００１】
本願発明は、勾配を有する道路や、林道等の路面を横断するようにして埋設される側溝、及び集水枡などの埋設構造物に関する。
【背景技術】
【０００２】
勾配を有する道路や林道では、その路面を横断するようにして、側溝や集水枡等の埋設構造物が埋設されている。この側溝は、路面からの雨水等を集水し、側溝に接続された集水枡へ排水している。ただ、側溝や集水枡は水平に設置される場合が多く、この側溝や集水枡と、その周囲の勾配を有する路面との間で、勾配変化が不連続となっていた。そのため、路面を走行している車両等が側溝や集水枡を横断すると、不連続な勾配変化を拾ってしまい、同乗者や積荷に衝撃が伝わるという問題があった。また、その衝撃により埋設構造物も破損するという問題があった。
【０００３】
そこで、この問題を解決するために、埋設される路面表面の勾配と一致するように、設置現場にて傾けて設置可能な埋設構造物が知られている。このような埋設構造物として、例えば、特許文献１の側溝が知られている。この側溝は、側溝本体と基礎ブロックから構成されるもので、側溝本体は、底壁が平坦な一般的なU字状側溝であり、基礎ブロックは、側溝本体の底壁を設置する設置面を備えている。そして、この設置面は路面勾配に応じて傾斜しているので、この設置面に側溝本体を設置すれば、側溝本体の上端面は、路面と同一平面上に位置する。また、上記側溝と同様の構造を集水枡に採用することで、勾配を有する路面であっても、集水枡の上端面と路面とが同一平面上に位置することとなる。
【０００４】
ただ、上記側溝の基礎ブロックは、その設置面が傾斜するように設計された型枠に、コンクリート等を流し込んで型枠形成されている。そのため、設置面の勾配が、実際の設置現場の路面の勾配と異なる場合には、設置された側溝の上端面と路面とが同一平面上に位置せず、路面との間に段差が生じてしまう。また、勾配が異なる基礎ブロックを製造したい場合は、その勾配を設計変更した型枠を別途用意しなければならず、その分、製造コストが嵩むという問題がある。
【先行技術文献】
【特許文献】
【０００５】
【特許文献１】特願２００４−２７２５７４
【発明の開示】
【発明が解決しようとする課題】
【０００６】
そこで、本願発明は、勾配角度を自由に変更可能な埋設構造物を提供することを目的とする。
【課題を解決するための手段】
【０００７】
上記課題を解決するために、本願発明の埋設構造物は、路面に埋設され、路面からの雨水等を排水する排水路を形成する埋設構造物であって、内部に集水空間を備える本体部と、当該本体部を設置する設置面を設けた土台部とを備え、前記本体部の底壁は、円弧状をしており、前記設置面は、前記底壁と対応した形状をしていることを特徴としている。
【０００８】
上記特徴によれば、本体部の底壁は円弧状をしており、土台部の設置面は底壁に対応した形状をしているので、本体部を土台部に設置すれば、本体部は土台部の設置面上で、自由に傾斜させることができる。つまり、設置現場の路面の勾配に合わせて、自由に本体部の傾斜角度を変更でき、路面との間に段差が生じることがない。さらに、従来のように、勾配に応じて土台部の設計変更を強いられることもない。
【０００９】
なお、「円弧状」の底壁とは、図１に示すように、なめらかな表面の円弧状の底壁のみならず、図１１に示すように、その表面が複数の平面からなる略円弧状の底壁も含む。
【００１０】
次に、本願発明の埋設構造物は、前記本体部の底壁に、固定部材が貫通可能な貫通孔を設け、前記設置面には、前記固定部材の先端を固定可能な固定穴を設けたことを特徴としている。
【００１１】
上記特徴によれば、固定部材により、本体部と土台部とが互いに固定されるので、傾斜した本体部の位置姿勢を維持しやすい。
【００１２】
次に、本願発明の埋設構造物は、前記本体部の底壁表面には、本体部側くぼみ部が設けられ、前記土台部の設置面には、前記本体部側くぼみ部に相対する位置に、土台部側くぼみ部が設けられていることを特徴としている。
【００１３】
上記特徴によれば、本体部を土台部に設置した際に、本体部側くぼみ部と、相対する位置にある土台部側くぼみ部との間には、互いのくぼみにより、空間が形成される。そして、その空間にコンクリート等を流せば、互いのくぼみ部は、その固まったコンクリートによって満たされる。その後、固まったコンクリートは、互いのくぼみ部の相対的な位置がズレるのを防止する固定部材となり、本体部が設置面上で傾斜（回動）するのを防止し、その結果、本体部の位置姿勢が固定される。
【００１４】
次に、本願発明の埋設構造物は、前記本体部側くぼみ部、及び土台部側くぼみ部の底面に、凹凸を設けたことを特徴としている。
【００１５】
上記特徴によれば、本体部側くぼみ部及び土台側くぼみ部の底面に凹凸が設けてあるので、両方のくぼみ部により形成された空間にコンクリート等を流せば、その凹凸にコンクリートが入り込んで固まり、その結果、本体部の位置姿勢がより強固に固定されることになる。
【発明の効果】
【００１６】
上述したように、本願発明の埋設構造物によれば、自由に勾配角度を変更することができる。
【図面の簡単な説明】
【００１７】
【図１】本願発明の埋設構造物である側溝、及び集水枡を路面に埋設した状態を示した斜視図である。
【図２】本願発明の埋設構造物である側溝の本体部を示したもので、（a）は本体部の斜視図、（ｂ）は平面図、（ｃ）は側面図、（ｄ）は底面図である。
【図３】本願発明の埋設構造物である側溝の土台部を示したもので、（a）は土台部の斜視図、（ｂ）は平面図、（ｃ）は側面図である。
【図４】（a）及び（ｂ）は、本願発明の埋設構造物である側溝を路面に埋設した状態を示した側面図である。
【図５】本願発明の側溝の変形例（１）を示したもので、（a）は側溝の本体部の斜視図、（ｂ）はA−A断面図である。
【図６】本願発明の側溝の変形例（１）を示したもので、（a）は側溝の土台部の斜視図、（ｂ）はB−B断面図である。
【図７】本願発明の側溝の変形例（１）を示したもので、（a）及び（ｂ）は、側溝の土台部と本体部を組み合わせた斜視図である。
【図８】（a）は、図７（ｂ）におけるC−C断面図、（ｂ）は、土台部を傾斜させた断面図である。
【図９】本願発明の側溝の変形例（２）を示したもので、（a）及び（ｂ）は、側溝の土台部と本体部を組み合わせた図である。
【図１０】（a）は、本願発明の側溝の変形例（３）を示した側面図、（ｂ）は、その平面図、（ｃ）は、本願発明の側溝の変形例（４）を示した側面図である。
【図１１】（a）及び（ｂ）は、本願発明の側溝の変形例（５）を示した側面図である。
【図１２】本願発明の側溝の変形例（６）を示したもので、（a）は本体部の側面図、（ｂ）は平面図、（ｃ）は図１２（ｂ）におけるF−F断面図である。
【図１３】図１２に示す変形例（６）に係る本体部を、土台部上に設置した側溝を示したもので、（a）はその側溝の側面図、（ｂ）は平面図、（ｃ）は、図１３（ｂ）におけるG―G断面図であって、貫通孔付近の拡大図である。
【図１４】（a）は、図１３（ｂ）におけるG−G断面図において、本体部を傾斜させた状態を示す図である。（ｂ）は、本体部を水平方向に１８０度回転させて土台部に設置した状態であって、貫通孔の中心における縦断面図、（ｃ）は、図１４（ｂ）の状態から、本体部を傾斜させた状態を示す縦断面図である。
【図１５】本願発明の埋設構造物である集水枡の本体部を示したもので、（a）は本体部の斜視図、（ｂ）は平面図、（ｃ）は側面図、（ｄ）は底面図である。
【図１６】（a）及び（ｂ）は本願発明の埋設構造物である集水枡の土台部を示したもので、（a）は平面図、（ｂ）は側面図である。（ｃ）及び（ｄ）は、本願発明の埋設構造物である集水枡を路面に埋設した状態を示した側面図である。
【図１７】本願発明の集水枡の変形例（１）を示したもので、（a）は集水枡の本体部の斜視図、（ｂ）はD−D断面図である。
【図１８】本願発明の集水枡の変形例（１）を示したもので、（a）は、集水枡の土台部と本体部を組み合わせた斜視図、（ｂ）はE―E断面図である。
【図１９】（a）は本願発明の集水枡の変形例（２）を示した側面図、（ｂ）は本願発明の集水枡の変形例（３）を示した側面図、（ｃ）は本願発明の集水枡の変形例（４）を示した側面図、（ｄ）は本願発明の集水枡の変形例（５）を示した側面図である。
【図２０】本願発明の集水枡の変形例（６）を示したもので、（a）は側面図、（ｂ）は平面図である。
【符号の説明】
【００１８】
１００        側溝
１１０        集水空間
１２０        本体部
１２１        底壁
１３０        土台部
１３１        設置面
R            路面
【発明を実施するための形態】
【００１９】
以下に、本発明の実施の形態について、図面を用いて説明する。
【００２０】
図１は、路面Rに埋設構造物である側溝１００及び集水枡２００を埋設した状態を示している。なお、図面では、側溝１００及び集水枡２００の設置状態を分かりやすくするために、路面Rの一部（図面上手前側）を取り除いて表している。
【００２１】
側溝１００は、その上端が路面Rと同一平面上に位置しており、路面Rからの雨水を上端に嵌め込まれたグレーチングを介して内部の集水空間１１０へ集水させることができる。また、集水枡２００は、側溝１００に隣接して配置されるものであり、側溝１００の集水空間１１０に集水された雨水等を、本体部２２０の内部の集水空間（枡）へ集めている。そして、集水枡２００内部の集水空間に集められた雨水は、例えば、集水枡２００に接続された他の側溝１００や排水管（不図示）等を介して川などに排水されたりする。このように、側溝１００及び集水枡２００は、路面に埋設されて、路面からの雨水等を排水する排水路を形成している。
【００２２】
また、側溝１００は、大きく分けると、本体部１２０と土台部１３０から構成されている。この土台部１３０は、路面Rを掘り下げて出来た穴に略水平に設置され、本体部１２０が設置面１３１上に傾けて設置されている。この傾きは、路面Rの勾配と一致するように、設置現場にて適宜調節される。そのため、路面Rがどのような勾配をしていても、本体部１２０の傾きを変更すれば、本体部１２０の上端と路面Rは同一平面となり、段差が生じることがない。
【００２３】
一方、集水枡２００は基本的に側溝１００と同じ構成であり、本体部２２０と土台部２３０からなる。この土台部２３０は、略水平に埋設され、その上に本体部２２０が傾けて設置されている。この傾きは、路面Rの勾配に応じて設置現場にて適宜調節することができ、本体部２２０の上端と路面Rは同一平面となるので、路面Rとの間に段差が生じない。また、隣接する側溝１００の上端面とも段差が生じていない。そのため、側溝１００及び集水枡２００からなる埋設構造物は、路面Rの勾配に対応するように傾斜して設置できるので、路面Rとの間に段差が生じる事がなく、路面Rからの雨水等も効率よく集水することができる。
【００２４】
なお、側溝１００の本体部１２０及び土台部１３０、並びに、集水枡２００の本体部２２０及び土台部２３０は、それぞれの形状に対応した型枠にコンクリートを流し込んで形成されたものである。
【００２５】
＜側溝について＞
以下では、側溝１００の構造について、更に詳しく説明する。
【００２６】
まず、側溝１００の本体部１２０の構造について説明する。図２に示すように、側溝１００の本体部１２０は、円弧状の底壁１２１とその両端に、垂直方向へ連接された平坦な側壁１２２からなる。そして、本体部１２０は、この３つの壁部により、全体が長手方向に延びる略U字状となり、そのU字内部に雨水等を流すことのできる集水空間１１０を形成している。また、底壁１２１の外側表面は、半径R１の円弧状をしている。なお、上端１２３の内側には、段部が形成されており、グレーチング等を置くことができる。
【００２７】
次に、側溝１００の土台部１３０の構造について説明する。図３に示すように、側溝１００の土台部１３０は、中央を円弧状に削られた略直方体形状をしている。この土台部１３０の縦方向（長手方向）の長さは、本体部１２０の縦方向（長手方向）の長さと一致している。また、土台部１３０の横方向の幅は、本体部１２０の横方向の幅より広くしてある。
【００２８】
この土台部１３０の両端の側壁１３２の上端１３３には、段部１３４が形成されており、土台部１３０の中央には設置面１３１が形成されている。この設置面１３１は、段部１３４の内側の端部１３５と連続すると共に、その段部１３４より低い位置に設けられている。
【００２９】
また、この設置面１３１は、その表面が底壁１２１の半径R１と等しい半径R２の円弧状となっており、底壁１２１と対応した形状となっている。したがって、設置面１３１上に本体部１２０の底壁１２１を載せれば、本体部１２０は設置面１３１の表面上で、左右に傾斜させる（回動させる）ことができるのである。
【００３０】
なお、この半径R２は半径R１と等しいことが望ましいが、半径R２を半径R１以上に設定してもよい。すなわち、この設置面１３１の「底壁と対応した形状」とは、底壁１２１の形状と略相似形状をしていると共に、本体部１２０を左右に傾斜可能とする形状を意味する。
【００３１】
では、次に、図４を参酌して、路面Rが勾配を有しない場合と路面Rが勾配を有する場合において、側溝１００を路面に埋設して設置する態様について説明する。
【００３２】
まず、図４（a）は、路面Rが勾配を有しない（路面Rが略水平）場合である。側溝１００の設置手順としては、まず、路面Rに穴を掘り、そこに土台部１３０を略水平に設置する。そして、本体部１２０の上端面が略水平となるように、本体部１２０を設置面１３１上に設置する。
【００３３】
この設置された状態において、段部１３４は、その両側の上端１３３と側壁１２２とで枠体を形成している。そして、この段部１３４に固着材料としてコンクリートFを流し込しこめば、枠体内にコンクリートFが溜まり、やがて固まる。すると、本体部１２０は、コンクリートFによって、両側壁１２２の外側を固定され、その状態から傾斜することが出来なくなる。その結果、本体部１２０の姿勢が固定されることになる。
【００３４】
その後、本体部１２０及び土台部１３０の周囲に、掘り起こした土壌を、本体部１２０のグレーチングGが載った上端面と路面Rとが同一平面となるまで、埋め戻していく。
【００３５】
なお、固着材料はコンクリートFに限られず、例えばアスファルトなど、施工時に液状となり、施工後に固化する材料であればよい。
【００３６】
次に、図４（ｂ）では、路面Rが勾配を有している場合を説明する。設置手順は図４（a）と基本的に同じであるが、本体部１２０を設置面１３１上に設置した後に、路面Rの勾配に合わせて、本体部１２０を傾ける点で異なっている。そして、本体部１２０を図４（ｂ）示すように傾けた状態で、段部１３４にコンクリートFを流し込む。その後、このコンクリートFが固まることで、傾斜された本体部１２０の姿勢も固定されることになる。
【００３７】
ここで、この本体部１２０は、図面上右側に向けて傾斜しているため、本体部１２０の右側の側壁１２２と、土台部１３０の右側上端の接触面Pには、本体部１２０の自重等により大きな負荷がかかりやすくなる。しかし、この接触面Pから受ける力により損傷を受けるのはコンクリートFであり、土台部１３０自体には及ばない。そのため、接触面Pから受ける力により損傷を受けても、段部１３４に新たなコンクリートFを流し込んで補修すればよいので、土台部１３０全てを取り換える必要がなくなり、メンテナンスにかかる費用を抑えることができる。
【００３８】
また、土台部１３０の上端１３３を上方へ延長して段部１３４を深くすれば、段部１３４に流し込まれるコンクリートFにより、側壁１２２の上方まで固定できるので、本体部１２０の姿勢をより固定しやすくなる。
【００３９】
なお、底壁１２１の表面と設置面１３１の表面の摩擦により、傾けられた本体部１２０の姿勢を維持して固定できるので、本体部１２０の姿勢を固定するためには、この段部１３４は必須ではない。しかしながら、本体部１２０の姿勢を固定するために補助的に利用する場合や、土台部１３０が損傷を受けることを予防する場合などは、段部１３４を任意に設けて、コンクリートFを流し込めばよい。
【００４０】
（変形例１）
以下では、本発明の側溝１００の変形例である側溝３００について説明する。この側溝３００は、本体部３２０と土台部３３０から構成されており、図５では本体部３２０の構成を、図６では、土台部３３０の構成について説明する。なお、側溝１００と共通する構成については説明を省略する。
【００４１】
図５に示すように、本体部３２０は、底壁３２１の表面に計４つのくぼみ部（本体部側くぼみ部）３２４を設けている。このくぼみ部３２４は、底壁３２１の側方に設けられ、くぼみ部３２４の端部は側壁３２２に連続している。さらに、くぼみ部３２４の底面３２５には、凹凸が設けられている。なお、くぼみ部３２４の位置、大きさ、及び数は、底壁３２１の表面であれば、任意に変更してもよい。
【００４２】
次に、図６に示す土台部３３０では、設置面３３１に計４つのくぼみ部（土台部側くぼみ部）３３５を設けている。各くぼみ部３３５は、図５に示す各くぼみ部３２４にそれぞれ相対する位置であって、設置面３３１の両端側に設けられている。また、くぼみ部３３５の上端は段部３３４の内側の端部３３７に連続し、その底面３３６には凹凸が設けられている。なお、くぼみ部３３５の位置、大きさ、及び数は、図５に示す本体部３２０のくぼみ部３２４に応じて変更してもよい。
【００４３】
次に、図７では、図５に示す本体部３２０と、図６に示す土台部３３０とを組み合わせた側溝３００について説明する。
【００４４】
図７（a）では、土台部３３０の設置面３３１上に、本体部３２０を設置している。設置面３３１は、円弧状をした底壁３２１に対応した形状となっているので、本体部３２０を設置面３３１上で傾斜させることができる。
【００４５】
次に、図７（ｂ）に示すように、段部３３４にコンクリートFを流し込む。すると、くぼみ部３２４と、このくぼみ部３２４と相対する位置にあるくぼみ部３３５との間を、コンクリートFが下方へ流れてゆく。このくぼみ部３２４とくぼみ部３３５の間にコンクリートFが流れ込んだ様子を分かりやすくするために、C−C断面図を図８に示す。
【００４６】
図８（a）に示すように、くぼみ部３２４とくぼみ部３３５は互いに相対する位置関係にあるため、両者の間には、空間Sが形成される。そして、くぼみ部３３５の上端は、段部３３４の端部３３７と連続しているため、段部３３４に流し込まれたコンクリートFは、くぼみ部３３５の上端を介して、空間S全体へ流れ込むことになる。
【００４７】
このように、本体部３２０と土台部３３０との接触面となる底壁３２１と設置面３３１のそれぞれに、くぼみ部を設けておくことで、そのくぼみ部にコンクリートFが入り込んで固まり本体部３２０の姿勢を固定する。すなわち、固まったコンクリートFは、両方のくぼみ部を跨るように挿入された状態となり、互いのくぼみ部の相対的な位置を固定する固定部材として働く。そして、本体部３２０が設置面３３１上で傾斜（回動）するのを、くぼみ部内の固定部材が防止し、その結果、本体部３２０の姿勢が固定される。
【００４８】
また、くぼみ部３２４の底面３２５に凹凸を、くぼみ部３３５の底面３３６に凹凸を設けたことで、流れ込んだコンクリートFが、この凹凸に入り込んで固まり、本体部３２０の位置姿勢がより強固に固定される。
【００４９】
次に、図８（ｂ）では、本体部３２０を傾斜させて設置した様子を示している。設置面３３１上で本体部３２０を傾斜させても、くぼみ部３２４とくぼみ部３３５との間の空間Sは確保されると共に、くぼみ部３３５の上端は段部３３４の端部３３７と連続している。そのため、段部３３４に流し込まれたコンクリートFは、くぼみ部３３５の上端を介して、空間Sへ流れ込むことになる。そして、コンクリートFが固まることで、本体部３２０が傾けられた状態が固定される。
【００５０】
なお、本変形例では、くぼみ部３３５の上端が段部３３４に連続しているので、段部３３４に流し込まれたコンクリートFは、くぼみ部３３５の上端を介して空間Sに流れ込んでいる。しかしながら、段部３３４を設けない場合は、少なくともくぼみ部３２４又はくぼみ部３３５のいずれか一方の上端が、外部と連通していれば、その上端からコンクリートFを空間Sに流し込むことができる。
【００５１】
また、くぼみ部３３５は、設置面３３１の両端に設けられると共に、くぼみ部３３５の上端が、段部３２４又は外部と連通している。したがって、本体部３２０がどのような角度で傾斜されていても、くぼみ部３３５の上端からコンクリートFを空間Sに流し込むことができる。
【００５２】
（変形例２）
次に、図９（a）では、くぼみ部の位置を変更した変形例について説明する。なお、側溝１００と共通する構成については説明を省略する。側溝４００の本体部４２０は、底壁４２１の中央付近にくぼみ部４２４を設けている。一方、土台部４３０は、くぼみ部４２４に相対する位置であって、設置面４３１の中央付近にくぼみ部４３５を設けている。
【００５３】
実際に、本体部４２０を土台部４３０上に設置する際は、土台部４３０のくぼみ部４３５に、コンクリートFを多めに（例えば、くぼみ部４３５から溢れるくらいに）充填しておき、その上から本体部４２０の底壁４２１を載せることになる。すると、くぼみ部４２４とくぼみ部４３５の間に形成された空間SはコンクリートFで満たされ、そのコンクリートFが固まることで、本体部４２０の姿勢が固定される。
【００５４】
また、図９（ｂ）では、図９（a）の状態から、コンクリートFが固まる前に本体部４２０を傾斜させている。図９（ｂ）のように、本体部４２０を傾斜させても、くぼみ部４２４とくぼみ部４３５の間には、空間Sが確保されているので、空間Sに満たされたコンクリートFが固まれば、傾斜させた本体部４２０の姿勢が固定される。
【００５５】
（変形例３）
次に、図１０（a）及び（ｂ）では、くぼみ部以外の手段により、本体部を固定する手段を用いた変形例について説明する。なお、図１０では、くぼみ部を併用してもよい。また、側溝１００と共通する構成については説明を省略する。
【００５６】
図１０（a）及び（ｂ）に示すように、本体部５２０Aには、底壁５２１Aの中央付近に、貫通孔５２４Aが設けられている。一方、土台部５３０Aには、設置面５３１Aの中央付近に、突起５３５Aが突出形成されている。土台部５３０Aの設置面５３１A上に、本体部５２０Aを載せる際には、貫通孔５２４A内に、突起５３５Aを挿入する。この貫通孔５２４Aは、突起５３５Aより幅が広いので、突起５３５Aの両側には空間Sが確保されている。
【００５７】
そのため、突起５３５Aを貫通孔５２４Aに挿入した状態でも、その空間Sの範囲で、つまり、突起５３５Aが貫通孔５２４Aの端部に接触するまで、本体部５２０Aを左右に傾斜させることができる。そして、任意の角度に本体部５２０Aを傾斜させた後に、集水空間５１０A側から貫通孔５２４A内部の空間Sに、コンクリートFを流し込み、コンクリートFが固まることで、本体部５２０Aの姿勢が固定される。
【００５８】
（変形例４）
次に、図１０（ｃ）では、図１０（a）及び（ｂ）に示す突起５３５Aの代わりに、溝５３５Bを設けた変形例について説明する。なお、側溝１００と共通する構成については説明を省略する。
【００５９】
この溝５３５Bは、設置面５３１Bの中央付近に設けられており、貫通孔５２４Bと相対する位置にある。そして、設置面５３１B上に本体部５２０Bを載せ、任意の角度に本体部５２０Bを傾斜させた後に、集水空間５１０Bから、コンクリートFを貫通孔５２４Bに流し込む。すると、溝５３５Bと貫通孔５２４BにコンクリートFが満たされ、そのコンクリートFが固まることで、本体部５２０Bの姿勢が固定される。
【００６０】
（変形例５）
次に、図１１では、本体部の底壁の表面と、土台部の設置面の表面の形状を変更した変形例について説明する。なお、側溝１００と共通する構成については説明を省略する。
【００６１】
図１１（a）に示すように、本体部６２０Aの底壁６２１A表面に複数の平面６２４Aを連続して設けている。一方、土台部６３０Aの設置面６３１A表面には、複数の平面６３５Aを連続して設けている。この平面６２４Aの幅L1と平面６３５Aの幅L１は等しく、底壁６２１Aを設置面６３１Aに載せた際に、各平面６２４Aと各平面６３５Aの表面は一致することになる。
【００６２】
従って、本体部６２０Aを、任意の角度に傾斜させても、各平面６２４Aと各平面６３５Aが一致することで、傾斜した本体部６２０Aの姿勢は、維持されることになる。また、平面６３５Aの範囲は、路面Rの勾配に応じて本体部６２０Aを傾斜させる範囲内で、適宜変更することができる。
【００６３】
次に、図１１（ｂ）では、平面６２４B及び平面６３５Bの幅L２を、平面６２４Aの幅L１より広くしている。このように、平面６２４B及び平面６３５Bの幅は、任意に変更することができる。なお、平面６２４B及び平面６３５Bに、図８又は図９に示すくぼみ部を形成してもよい。
【００６４】
（変形例６）
以下では、本発明の側溝１００の変形例である側溝１０００について説明する。この側溝１０００は、本体部１２００と土台部１３００から構成されており、図１２では本体部１２００の構成を、図１３では、本体部１２００と土台部１３００を組み合わせた側溝１０００の構成について説明する。なお、側溝１００と共通する構成については説明を省略する。
【００６５】
図１２（a）から（ｃ）に示すように、側溝１０００の本体部１２００は、円弧状の底壁１２１０とその両端に、垂直方向へ連接された平坦な側壁１２２０からなる。そして、本体部１２００は、この３つの壁部により、全体が長手方向に延びる略U字状となり、そのU字内部に雨水等を流すことのできる集水空間１１００を形成している。
【００６６】
そして、底壁１２１０には、その短手方向へ長尺状の貫通孔１２４０が、平行に２つ設けられている。この貫通孔１２４０は、底壁１２１０の中心線ｍ−ｍより、一方の側壁１２２１側（図面では、左側）よりに設けられている。言い換えると、貫通孔１２４０は、底壁１２１０の中心より一方側へ、より長く延設されている。
【００６７】
さらに、この貫通孔１２４０の両内壁には、貫通孔１２４０の上端面から一段下がった段部１２４１が設けられている。そして、この貫通孔１２４０には、後述する固定部材としてのボルトが貫通することになるが、好ましくは、このボルトの頭部は、貫通孔１２４０の一部である段部１２４１に係止し、ボルトの軸部は、段部１２４１の間を貫通するのがよい。
【００６８】
つまり、貫通孔１２４０の開口幅L４はボルトの頭部より広く、段部１２４１間の幅L３は、ボルトの軸部より広くしつつ、ボルトの頭部より狭くなるように設定する。なお、貫通孔１２４０の長手方向の幅L５は、本体部１２００を傾斜させたい角度に応じて、任意の長さに設定すればよい。
【００６９】
では、次に、図１３を参照して、図１２に示す本体部１２００を、土台部１３００の上に設置した側溝１０００について詳しく説明する。
【００７０】
まず、土台部１３００であるが、中央を円弧状に削られた略直方体形状をしている。この土台部１３００の縦方向（長手方向）の長さは、本体部１２００の縦方向（長手方向）の長さと一致し、土台部１３００の横方向（短手方向）の幅は、本体部１２００の横方向の幅より広くしてある。また、この土台部１３００の両端は、平坦な上端１３３０となっており、土台部１３００の中央には円弧状の設置面１３１０が形成されている。さらに、この設置面１３１０の中心（底壁１２１０の中心ｍ−ｍ線と一致する。）には、ボルトが螺合するための溝が設けてある固定穴Hが、形成されている。
【００７１】
また、この土台部１３００の長手方向の中心には（図１３（ｂ）参照）、勾配調節溝１３４０が設けられている。この勾配調節溝１３４０は、平坦な上端１３３０の内側端部を斜めに切欠いたように形成されており、勾配調節溝１３４０の傾斜面１３４１と底壁１２１０の外面との間には、隙間Ｘができる。また、勾配調節溝１３４０の傾斜面１３４１は、設置面１３１０と上端１３３０に連続している。この勾配調節溝１３４０の長手方向の幅は、後述するバール等の勾配調節補助部材の先端側が容易に差し込めるように、この勾配調節補助部材の先端幅より広くしてある。なお、この勾配調節溝１３４０は、土台部１３００の長手方向の中心であって、両側の上端１３３０にそれぞれ一つずつ設けているが、これに限定される事はなく、複数設けてもよい。
【００７２】
そして、この土台部１３００の設置面１３１０に、本体部１２００の底壁１２１０を設置すると、図１３（a）に示す側溝１０００の状態となる。
【００７３】
さらに、その状態で、底壁１２１０の内側から、貫通孔１２４０にボルトPを貫通させる。具体的には、ボルトPの軸部P１を段部１２４１の間を通して、設置面１３１０の固定穴Hまで貫通させ、この固定穴Hに、軸部P１の先端側を螺合させる。すると、図１３（ｂ）及び（ｃ）に示す状態となる。なお、この状態では、ボルトPの頭部P２の下端が、段部１２４１に軽く接触するか、または、接触しない程度に、ボルトPを固定穴Hにねじ込んでおく（これを、本体部１２００の仮固定と呼ぶ。）。
【００７４】
本体部１２００の底壁１２１０と、土台部１３００の設置面１３１０は、互いに円弧状で対応した形状をしているので、図１４（a）に示すように、本体部１２００を任意の角度で傾斜させることができる。具体的には、貫通孔１２４０内のボルトPが、その貫通孔１２４０の長手方向の両端に接触する範囲内で、本体部１２００を傾斜させることができる。特に、貫通孔１２４０は、底壁１２１０の中心より一方側（図面上、左側）へより長く延設されている。そのため、本体部１２００は、その延設方向（図面上、左側）へ、傾斜できるようになっている。
【００７５】
なお、本体部１２００を傾斜させる際に、土台部１３００に設けられた勾配調節溝１３４０を利用してもよい。具体的には、この勾配調節溝１３４０の傾斜面１３４１と底壁１２１０の外面との間の隙間Ｘに、勾配調節補助部材（不図示）の先端を差し込む。この勾配調節補助部材とは、例えば、バール等の頑丈な金属で形成された棒状の部材であって、先端が薄い平坦面形状となっているものをいう。そして、この勾配調節補助部材の先端を隙間Ｘに差し込んだ状態で、傾斜面１３４１の表面に勾配調節補助部材の背面を押し付け、勾配調節補助部材の後端に下向きの力を加える。すると、梃の原理を利用するようにして、勾配調節補助部材の先端には大きな上向きの力が加えられ、本体部１２００の底壁１２１０を押し上げるようして、傾斜させていくことができる。
【００７６】
そして、任意の角度で傾斜させた後、ボルトPを固定穴Hに強く螺合させる。すると、頭部P２の下端が、段部１２４１に強く係止して、本体部１２００は、傾斜した状態で土台部１３００に強く固定されることになる。さらに、その後、底壁１２１０の内側から、貫通孔１２４０内に、速乾性のある接着材料（例えば、短時間で強度発現する高強度補修材・モルタルや、高強度無収縮補修材等を使用する。）を流し込んで充填すれば、より強固に本体部１２００が土台部１３００に固定される。
【００７７】
ところで、上記の図１４（a）では、図面上左側に本体部１２００を傾斜させたい場合について説明した。以下の図１４（ｂ）及び（ｃ）では、本体部１２００を、図面上右側に傾斜させたい場合について説明する。
【００７８】
図１４（ｂ）に示すように、本体部１２００を、図１３（a）に示す本体部１２００の設置向きとは反対になるように、土台部１３００上に設置する。つまり、図１３（ｂ）に示す、前端１２５０と後端１２６０が逆になるように、本体部１２００を水平方向に１８０度回転させて、土台部１３００に設置するのである。そのため、図１４（ｂ）では、後端１２６０が、図面上手前に位置している。
【００７９】
このように、本体部１２００を水平方向に１８０度回転させて設置すると、貫通孔１２４０は、底壁１２１０の中心線ｍ−ｍより、一方の側壁１２２１側（図面では、右側）へ、長く延設されることになる。
【００８０】
そのため、図１４（ｃ）に示すように、貫通孔１２４０内のボルトPが、その貫通孔１２４０の長手方向の両端に接触する範囲内で、貫通孔１２４０の延設方向（図面上、右側）へ、本体部１２００を傾斜できるようになる。
【００８１】
このように、貫通孔１２４０を底壁１２１０の中心より一方側へ、より長く延設させることで、本体部１２００の設置向きを１８０度変更すれさえすれば、本体部１２００を右向き又は右向きに、選択的に傾斜させることができる。
【００８２】
なお、本変形例６では、本体部１２００を固定するための固定部材としてボルトPを採用した。しかしながら、ボルト以外にも、単なる棒状部材であってもよい。その場合は、棒状部材を貫通孔へ貫通させ、その先端を固定穴Hに差し込む。そして、その状態で、貫通孔へ速乾性の接着材料を流し込めば、棒状部材がつなぎ役となって、本体部１２００と土台部１３００とが強固に固定される。
【００８３】
また、本変形例６に示した本体部１２００及び土台部１３００に、上記変形例１で示した、本体部側くぼみ部及び土台部側くぼみ部をそれぞれ設ける事も可能である。
【００８４】
＜集水枡について＞
以下では、集水枡２００の構造について、詳しく説明する。
【００８５】
図１５に示すように、集水枡２００の本体部２２０は、四方を囲む４つの側壁２２２と、底壁２２１により、有底の中空状の略立方体形状をしている。したがって、この集水枡２００の内部には、雨水等を集水して貯めることのできる集水空間（枡）２１０が形成される。また、底壁２２１の外側表面は、半径R３の円弧状をしている。
【００８６】
また、本体部２２０の上端２２３には、グレーチング等を置くことのできる段部が設けられている。さらに、前後の側壁２２２には通水口２２４が設けられており、この通水口２２４は側溝１００の集水空間１１０と接続されることで（図１参照）、側溝１００の集水空間１１０と本体部２２０の集水空間２１０とが連通されることになる。したがって、側溝１００と集水枡２００の内部で、雨水等の往来が可能となる。
【００８７】
次に、図１６（ａ）及び（ｂ）に、集水枡２００の土台部２３０を示す。この土台部２３０は、基本的に側溝１００の土台部１３０と同じ構成であるが、各部の大きさが異なる。具体的には、土台部２３０は、側溝１００の土台部１３０のように長尺形状ではなく、略立方体形状の本体部２２０を載せることを考慮して、平面視略正方形状となるように形成されている。また、設置面２３１は、その表面が底壁２２１の半径R３と等しい半径R４の円弧状となっており、底壁２２１と対応した形状となっている。
【００８８】
では、次に、図１６（ｃ）、及び（ｄ）を参酌して、路面Rが勾配を有しない場合と、路面Rが勾配を有する場合において、集水枡２００を路面に埋設して設置される態様について説明する。
【００８９】
図１６（ｃ）は、路面Rが勾配を有しない（路面Rが略水平）場合を表している。集水枡２００の設置手順としては、まず、路面Rに穴を掘り、そこに土台部２３０を略水平に設置する。そして、本体部２２０の上端面が略水平となるように、本体部２２０を設置面２３１上に設置する。
【００９０】
一方、図１６（ｄ）に示すように、路面Rが勾配を有している場合は、設置面２３１上に設置された本体部２２０を、路面Rの勾配に合わせて傾斜させる。
【００９１】
そして、段部２３４にコンクリートFを流し込しこめば、段部２３４とその両側の上端２３３と側壁２２２で形成された枠体内にコンクリートFが溜まり、やがて固まる。すると、本体部２２０の両側の側壁２２２がコンクリートFによって固定されるので、本体部２２０の姿勢が固定される。その後、本体部２２０及び土台部２３０の周囲に、掘り起こした土壌を、本体部２２０の上端面と路面Rとが同一平面となるまで、埋め戻していく。
【００９２】
では、次に本発明の集水枡２００の変形例について説明するが、集水枡２００と共通する構成については説明を省略する。なお、側溝１００の変形例を表す図５から図１４の特徴は、集水枡２００にも適用可能であり、以下の図１７から図２０には、その適用した変形例を示している。したがって、側溝１００の変形例（図５から図１４）から生じる作用効果は、以下の集水枡２００の変形例（図１７から図２０）においても、そのまま維持されている。
【００９３】
（変形例１）
まず、変形例１に係る集水枡７００は、本体部７２０と土台部７３０から構成されており、図１７に示す本体部７２０は、底壁７２１の表面であって、左右の側方に計２つのくぼみ部７２４を設けている。このくぼみ部７２４の端部は、側壁７２２に連続しており、その底面７２５には、凹凸が設けられている。なお、くぼみ部７２４の位置、大きさ、及び数は、底壁７２１表面であれば、任意に変更してもよい。
【００９４】
また、左右の側壁７２２には、通水口７２６が設けられている。この通水口７２６は、本体部７２０に接続される排水管や側溝１００等との間で、雨水等を通水させるものであり、設置現場にて任意に設けることができる。
【００９５】
次に、集水枡７００の本体部７２０を、土台部７３０の設置面７３１上に設置した状態を、図１８（a）及び（ｂ）に示す。土台部７３０は、図１６に示す土台部２３０と同じ構成であるが、設置面７３１の両端であって、本体部７２０のくぼみ部７２４に相対する位置にくぼみ部７３５を設けた点で異なる。
【００９６】
そして、図１８（ｂ）に示すように、本体部７２０を設置面７３１上に設置した後に、段部７３４にコンクリートFを流し込む。すると、くぼみ部７２４とくぼみ部７３５との間をコンクリートFが下方へ流れてゆき、空間S内にコンクリートFが充填される。そして、コンクリートFが固まれば、本体部７２０の姿勢が固定される。なお、くぼみ部７２４の底面７２５、及びくぼみ部７３５の底面７３６には、凹凸が設けられており、本体部７２０がより強固に固定される。
【００９７】
（変形例２）
次に、図１９（a）では、くぼみ部の位置を変更した変形例について説明する。集水枡８００Aの本体部８２０Aは、その底壁８２１Aの中央付近にくぼみ部８２４Aを設けている。一方、土台部８３０Aは、くぼみ部８２４Aに相対する位置であって、設置面８３１Aの中央付近にくぼみ部８３５Aを設けている。そして、くぼみ部８２４Aとくぼみ部８３５Aの間に形成された空間S内に、充填されたコンクリートFが固まると、本体部８２０Aの姿勢が固定される。
【００９８】
（変形例３）
次に、図１９（ｂ）では、くぼみ部以外の手段により、本体部を固定する手段を用いた変形例について説明する。なお、図１９（ｂ）では、くぼみ部を併用してもよい。
【００９９】
図１９（ｂ）に示すように、本体部８２０Bには、底壁８２１Bの中央付近に、貫通孔８２４Bが設けられ、一方、土台部８３０Bの設置面８３１Bの中央付近に、突起８３５Bが突出形成されている。この貫通孔８２４Bは、突起８３５Bより幅が広いので、突起８３５Bの両側には空間Sが確保される。そのため、突起８３５Bを貫通孔８２４Bに挿入した状態でも、突起８３５Bが貫通孔８２４Bの端部に接触するまで、本体部８２０Bを左右に傾斜させることができる。そして、任意の角度に本体部８２０Bを傾斜させた後に、貫通孔８２４B内の空間Sに、コンクリートFを流し込み、コンクリートFが固まることで、本体部８２０Bの姿勢が固定される。
【０１００】
（変形例４）
次に、図１９（ｃ）では、図１９（ｂ）に示す突起８３５Bの代わりに、溝８３５Cが設けられている。この溝８３５Cは、設置面８３１Cの中央付近に設けられており、貫通孔８２４Cと相対する位置にある。そして、設置面８３１C上に底壁８２１Cを載せ、任意の角度に本体部８２０Cを傾斜させた後に、コンクリートFを貫通孔８２４Cに流し込む。すると、溝８３５Cと貫通孔８２４CにコンクリートFが満たされ、そのコンクリートFが固まることで、本体部８２０Cの姿勢が固定される。
【０１０１】
（変形例５）
次に、図１９（ｄ）では、本体部８２０Dの底壁８２１D表面に複数の平面８２４Dが連続して設けられている。一方、土台部８３０Dの設置面８３１Dの表面には、複数の平面８３５Dが連続して設けられている。この平面８２４Dと平面８３５Dの幅は等しく、底壁８２１Dを設置面８３１Dに載せた際に、各平面８２４Dと各平面８３５Dの表面は一致する。従って、本体部８２０Dを、任意の角度に傾斜させても、各平面８２４Dと各平面８３５Dが一致することで、本体部８２０Dの傾斜した姿勢は、維持されることになる。
【０１０２】
（変形例６）
以下では、本発明の本体部２２０の変形例である本体部２２００を、土台部２３００に設置した集水枡２０００について、図２０を参照して説明する。なお、本体部２２０と共通する構成については説明を省略する。
【０１０３】
図２０（a）及び（ｂ）に示すように、集水枡２０００の本体部２２００は、四方を囲む４つの側壁２２２０と、外面が円弧状の底壁２２１０により、有底の中空状の略立方体形状をしている。一方、集水枡２０００の土台部２３００は、略立方体形状の本体部２２００を載せることを考慮して、平面視略正方形状となるように形成されている。また、設置面２３１０は、その表面が底壁２２１０に対応した円弧状の形状をしている。
【０１０４】
そして、本体部２２００の底壁２２１０には、図１２で示した貫通孔１２４０と、同様の構造の貫通孔２２４０が、２つ設けられている。この貫通孔２２４０は、長尺状であり、底壁２２１０の中心線ｎ−ｎより、一方の側壁２２２１側（図面では、左側）へ、より長く延設されている。さらに、この貫通孔２２４０の両内壁には、貫通孔２２４０の上端面から一段下がった段部２２４１が設けられている。
【０１０５】
そして、この貫通孔２２４０にはボルトPが貫通している。具体的には、このボルトPの頭部P２の下端は段部２２４１に軽く接触するか、または、接触しない状態であり、その先端P１は設置面２３１０の中心に設けられた固定穴Hに螺合している（これを、本体部２２００の仮固定と呼ぶ。）。
【０１０６】
この状態から、本体部２２００を、貫通孔２２４０の延設方向（図面上、左側）へ、任意の角度で傾斜させる。そして、その後、ボルトPを固定穴Hに強く螺合させることで、頭部P２の下端が段部２２４１に強く係止して、本体部２２００が、傾斜した状態で土台部２３００に強く固定される。さらに、貫通孔２２４０内に、速乾性のある接着材料を流し込んで充填すれば、より強固に本体部２２００が土台部２３００に固定される。
【０１０７】
なお、本体部２２００を、図面上右側に傾斜させたい場合は、本体部２２００を水平方向に１８０度回転させて、土台部２３００上に設置すればよい。すると、貫通孔２２４０は、底壁２２１０の中心線ｎ−ｎより右側へ、長く延設されることになるので、本体部２２００を右側に傾斜させることができるのである。また、土台部２３００に、図１３及び図１４で示した勾配調節溝１３４０と同じ構造の勾配調節溝を設けて、本体部２２００を傾斜させる際に、この勾配調節溝を利用してもよい。
【０１０８】
なお、本願発明の埋設構造物は、上記の実施例に限定されず、特許請求の範囲に記載された範囲、実施形態の範囲で、種々の変形例、組み合わせが可能であり、これらの変形例、組み合わせもその権利範囲に含むものである。
【要約】
【課題】
勾配角度を変更可能な埋設構造物を提供すること。
【解決手段】
路面Rに埋設され、路面Rからの雨水等を排水する排水路を形成する埋設構造物（側溝）１００であって、内部に集水空間１１０を備える本体部１２０と、本体部１２０を設置する設置面１３１を設けた土台部１３０とを備え、本体部１２０の底壁１２１は、円弧状をしており、設置面１３１は、底壁１２１と対応した形状をしていることを特徴とする。
【選択図】図４【図１】
0005612186.tif 000002
【図２】
0005612186.tif 000003
【図３】
0005612186.tif 000004
【図４】
0005612186.tif 000005
【図５】
0005612186.tif 000006
【図６】
0005612186.tif 000007
【図７】
0005612186.tif 000008
【図８】
0005612186.tif 000009
【図９】
0005612186.tif 000010
【図１０】
0005612186.tif 000011
【図１１】
0005612186.tif 000012
【図１２】
0005612186.tif 000013
【図１３】
0005612186.tif 000014
【図１４】
0005612186.tif 000015
【図１５】
0005612186.tif 000016
【図１６】
0005612186.tif 000017
【図１７】
0005612186.tif 000018
【図１８】
0005612186.tif 000019
【図１９】
0005612186.tif 000020
【図２０】
0005612186.tif 000021